(57)【要約】【課題】意匠性の高いチタン焼結体、装飾品および時計を提供すること。【解決手段】表面における平均結晶粒径が３０μｍ超５００μｍ以下であり、表面におけるビッカース硬度が３００以上８００以下であることを特徴とするチタン焼結体。また、このチタン焼結体は、表面における結晶組織の平均アスペクト比が１以上３以下であることが好ましい。また、このチタン焼結体は、表面における酸素含有率が質量比で２５００ｐｐｍ以上５５００ｐｐｍ以下であることが好ましい。また、このチタン焼結体は、チタンを主成分とし、α相安定化元素およびβ相安定化元素を含むことが好ましい。【選択図】図１
2019044225.tif 000002
【特許請求の範囲】
【請求項１】
表面における平均結晶粒径が３０μｍ超５００μｍ以下であり、
表面におけるビッカース硬度が３００以上８００以下であることを特徴とするチタン焼結体。
【請求項２】
表面における結晶組織の平均アスペクト比が１以上３以下である請求項１に記載のチタン焼結体。
【請求項３】
表面における酸素含有率が質量比で２０００ｐｐｍ以上５５００ｐｐｍ以下である請求項１または２に記載のチタン焼結体。
【請求項４】
チタンを主成分とし、α相安定化元素およびβ相安定化元素を含む請求項１ないし３のいずれか１項に記載のチタン焼結体。
【請求項５】
請求項１ないし４のいずれか１項に記載のチタン焼結体を含むことを特徴とする装飾品。
【請求項６】
請求項１ないし４のいずれか１項に記載のチタン焼結体を含むことを特徴とする時計。
【発明の詳細な説明】
【技術分野】
【０００１】
本発明は、チタン焼結体、装飾品および時計に関するものである。
【背景技術】
【０００２】
チタン合金は、機械的強度や耐食性に優れるため、航空機、宇宙開発、化学プラント等の分野で使用されている。また、最近では、チタン合金の生体適合性や低ヤング率、軽量等の特性を活かし、腕時計の外装部品、眼鏡フレームのような装飾品、ゴルフクラブのようなスポーツ用品、スプリング等に応用されつつある。
【０００３】
また、このような応用に際し、粉末冶金法を適用することにより、最終形状に近い形状のチタン焼結体を容易に製造することができる。これにより、二次加工を省略したり、加工量を減らしたりすることができ、効率的な部品生産が可能になる。
【０００４】
しかしながら、粉末冶金法により製造されたチタン焼結体は、原料粉末の性状が反映され易いため、意匠性の高い外観を得ることが難しい。そこで、粉末冶金法で製造されたチタン焼結体の外観における意匠性を高める試みが提案されている。
【０００５】
例えば、特許文献１には、重量比で０．１〜１．０％の鉄粉末と、０．１〜４．０％のモリブデン粉末と、を含み、残りがチタン粉末で構成された混合粉を圧粉成形後に１２００〜１３５０℃で焼結したことを特徴とする装飾用チタン合金が開示されている。そして、得られたチタン合金は、α＋βの２相組織を含み、腕時計外装部品等で要求される鏡面性を有するものとなる。
【先行技術文献】
【特許文献】
【０００６】
【特許文献１】特開平８−９２６７４号公報
【発明の概要】
【発明が解決しようとする課題】
【０００７】
しかしながら、特許文献１に記載のチタン合金は、チタンに加えて鉄を含むため、耐候性に劣る。このため、長期わたって過酷な環境に曝された場合、表面に劣化が生じ、その結果、鏡面性（意匠性）の低下を招くおそれがある。
【０００８】
本発明の目的は、意匠性の高いチタン焼結体、装飾品および時計を提供することにある。
【課題を解決するための手段】
【０００９】
上記目的は、下記の本発明により達成される。
本発明のチタン焼結体は、表面における平均結晶粒径が３０μｍ超５００μｍ以下であり、
表面におけるビッカース硬度が３００以上８００以下であることを特徴とする。
【００１０】
これにより、優れた光輝感を有し、かつ、研磨性が良好なチタン焼結体となるため、意匠性の高い外観を有するチタン焼結体が得られる。
【００１１】
本発明のチタン焼結体では、表面における結晶組織の平均アスペクト比が１以上３以下であることが好ましい。
【００１２】
これにより、チタン焼結体に研磨加工を施したときの研磨量に異方性が生じ難くなるため、研磨面に凹凸が生じ難くなる。その結果、研磨面の平滑性をより高めることができ、光輝感が高く意匠性が高いチタン焼結体が得られる。
【００１３】
本発明のチタン焼結体では、表面における酸素含有率が質量比で２０００ｐｐｍ以上５５００ｐｐｍ以下であることが好ましい。
【００１４】
これにより、チタン焼結体は優れた耐摩耗性を有するものとなる。このため、例えばチタン焼結体の表面の光輝感を長期にわたって良好に維持することができる。その結果、チタン焼結体の外観の高い意匠性を長期にわたって維持することができる。
【００１５】
本発明のチタン焼結体では、チタンを主成分とし、α相安定化元素およびβ相安定化元素を含むことが好ましい。
【００１６】
これにより、チタン焼結体は、その製造条件や使用条件が変動したとしても、結晶組織としてα相とβ相とを併せ持つことができる。このため、チタン焼結体は、α相が呈する特性とβ相が呈する特性とを併せ持つものとなり、とりわけ機械的特性に優れる。
【００１７】
本発明の装飾品は、本発明のチタン焼結体を含むことを特徴とする。
これにより、装飾品の表面に光輝感に基づく優れた意匠性を与えることができる。その結果、訴求性の高い外観を有する装飾品が得られる。
【００１８】
本発明の時計は、本発明のチタン焼結体を含むことを特徴とする。
これにより、時計の表面に光輝感に基づく優れた意匠性を与えることができる。その結果、訴求性の高い外観を有する時計が得られる。
【図面の簡単な説明】
【００１９】
【図１】本発明のチタン焼結体の実施形態の表面を模式的に示す図である。
【図２】本発明の装飾品の実施形態が適用された時計ケースを示す斜視図である。
【図３】本発明の装飾品の実施形態が適用されたベゼルを示す部分断面斜視図である。
【発明を実施するための形態】
【００２０】
以下、本発明のチタン焼結体、装飾品および時計について、添付図面に示す好適実施形態に基づいて詳細に説明する。
【００２１】
＜チタン焼結体＞
まず、本発明のチタン焼結体の実施形態について説明する。
【００２２】
本実施形態に係るチタン焼結体は、例えば粉末冶金用により製造された焼結体である。このチタン焼結体は、チタン合金粉末の粒子同士が焼結することによって構成されている。
【００２３】
本実施形態に係るチタン焼結体は、表面における平均結晶粒径が３０μｍ超５００μｍ以下であり、表面におけるビッカース硬度が３００以上８００以下である。
【００２４】
本発明者は、鋭意検討した結果、平均結晶粒径が前記範囲内であることにより、チタン焼結体の外観における意匠性が非常に高くなることを見出し、本発明を完成するに至った。すなわち、平均結晶粒径が前記範囲内である場合、１つの結晶が占める面積が従来に比べて十分に大きくなる。このため、例えば、１つの結晶が光を反射させるとき、大抵の結晶は平滑面になっていることから、相対的に広い平滑な面において光がほぼ正反射されることとなる。そして、このような結晶が全体的に分布し、かつ各結晶面の法線方向が微妙に異なるため、チタン焼結体全体に優れた光輝感が付与される。その結果、意匠性の高い外観を有するチタン焼結体が得られる。
【００２５】
また、かかるチタン焼結体は、十分な表面硬度を有しているため、異物等に当たってもキズつきにくいものとなる。このため、意匠性の高い外観を長期にわたって安定的に維持することができる。したがって、かかるチタン焼結体は、後述する装飾品や時計等に好適に用いられ得るものとなる。その一方、良好な研磨性も併せ持つため、平滑な研磨面を効率よく得ることができる。その結果、研磨によって意匠性の高い外観を有するチタン焼結体を効率よく得ることができる。
【００２６】
図１は、本発明のチタン焼結体の実施形態の表面を模式的に示す図である。
一般にチタン焼結体の結晶組織は、合金組成に応じて変化するものの、図１に示すチタン焼結体１のようにα相２とβ相３とを含むことが好ましい。このうち、α相２とは、それを構成する結晶構造が主として六方最密充填（ｈｃｐ）構造である領域（チタンα相）のことをいう。一方、β相３とは、それを構成する結晶構造が主として体心立方格子（ｂｃｃ）構造である領域（チタンβ相）のことをいう。なお、図１では、相対的に淡色を呈する領域がα相２であり、相対的に濃色を呈する領域がβ相３である。
【００２７】
α相２は、相対的に硬度が低く、延性に富んでいるため、特に高温下での強度や耐変形性に優れたチタン焼結体１の実現に寄与する。一方、β相３は、相対的に硬度が高いものの、塑性変形を生じ易いため、全体として靭性に優れたチタン焼結体１の実現に寄与する。また、α相２とβ相３とを含むことにより、チタン焼結体１が研磨に供されたとき、研磨の際の抵抗が著しく大きくなってしまうのを防止することができる。その結果、研磨面の平滑性をより高めることができ、より意匠性の高い外観が得られる。
【００２８】
チタン焼結体１の表面では、そのほとんどがこのようなα相２またはβ相３で占められているのが好ましい。すなわち、チタン焼結体１の表面におけるα相２とβ相３の合計の占有率（面積率）は、９５％以上であるのが好ましく、９８％以上であるのがより好ましい。このようなチタン焼結体１は、α相２およびβ相３が特性面で支配的になるため、チタンが持つ多くの長所が反映されたものとなる。
【００２９】
なお、α相２とβ相３の合計の占有率は、例えばチタン焼結体１の断面を電子顕微鏡や光学顕微鏡等で観察し、結晶構造の違いに基づく呈色の違いやコントラストに基づいて結晶相を区別するとともに面積を計測することによって求められる。
【００３０】
また、α相２やβ相３以外の結晶組織としては、例えばω相、γ相等が挙げられる。
また、チタン焼結体１が前述したようにα相２とβ相３とを含む場合、表面においてα相２の占有率（面積率）が７０％以上９９．８％以下であることが好ましく、７５％以上９９％以下であることがより好ましい。このようにα相２が支配的であることにより、前述した光輝感がより顕著になり、外観の意匠性が特に高いチタン焼結体が得られる。これは、α相２が板状結晶相であるため、結晶面が平滑面になりやすく、そのため、前述したような結晶粒径を満たし、かつ、光の正反射を生じやすいからである。
【００３１】
なお、α相２の占有率は、次のようにして測定される。まず、チタン焼結体１の表面を電子顕微鏡で観察し、得られた観察像の面積を算出する。次いで、観察像に写っているα相２の面積の合計を求める。そして、求めたα相２の面積の合計を、観察像の面積で除する。この解がα相２の占有率となる。
【００３２】
一方、α相２が上記のような面積率である場合、β相３の面積率はそれより小さくなる。具体的には、β相３の面積率は０．２％以上３０％以下程度であるのが好ましく、１％以上２５％以下程度であるのがより好ましく、２％以上２０％以下程度であるのがさらに好ましい。このようにβ相３が一定の割合で含まれていることにより、α相２とβ相３のバランスが最適化されることとなる。その結果、α相２の結晶粒径が比較的大きくなっても、チタン焼結体１全体として機械的特性や表面硬度の低下が抑制される。したがって、前述した平均結晶粒径とビッカース硬度とを安定的に維持し得るチタン焼結体１が得られる。
【００３３】
また、α相２とβ相３のバランスが図られていることにより、チタン焼結体１が研磨に供されたとき、研磨の際の抵抗が著しく大きくなってしまうのをとりわけ良好に防止することができる。その結果、研磨面の平滑性を特に高めることができ、特に意匠性の高い外観が得られる。
【００３４】
さらには、α相２が支配的になっていることで、α相２とβ相３との硬度差に基づく研磨速度差により、研磨面に凹凸が生じるのを抑制しやすくなる。かかる観点からも、意匠性の高い外観が得られる。
【００３５】
なお、前述した平均結晶粒径が前記下限値を下回ると、光が正反射される面積が小さくなりすぎるため、光束が細くなりすぎて光輝感が失われるおそれがある。一方、前述した平均結晶粒径が前記上限値を上回ると、光が正反射される面積が大きくなりすぎるため、光束の数が少なくなり、多数の光束によって生じる光輝感が失われるおそれがある。また、結晶組織（特にα相２）の形状が球状から針状に近づきやすくなる。このような針状の結晶組織では、その形状が持つ性質上、結晶組織が特定の方向に沿って揃いやすくなる。その結果、光が反射する結晶面の配置も不均等になり、光輝感が低下するおそれがある。
【００３６】
なお、チタン焼結体の表面における平均結晶粒径は、好ましくは３５μｍ以上４００μｍ以下とされ、より好ましくは４０μｍ以上３００μｍ以下とされる。
【００３７】
このような平均結晶粒径は、次のようにして測定される。まず、チタン焼結体１の表面を電子顕微鏡で観察し、得られた観察像において１００個以上の結晶組織を無作為に選択する。次に、観察像上において選択した結晶組織の面積を算出し、この面積と同じ面積を持つ円の直径を求める。このようにして求めた円を、その結晶組織の粒径（円相当径）とみなし、１００個以上の結晶組織についての平均値を求める。この平均値が結晶組織の平均粒径となる。
【００３８】
また、前述したビッカース硬度が前記下限値を下回ると、チタン焼結体の表面に異物等が当たったときキズが付きやすくなるおそれがある。一方、ビッカース硬度が前記上限値を上回ると、チタン焼結体の表面が研磨されにくくなるため、目的とする研磨面を得ることが難しくなる。その結果、意匠性の高い外観が得られにくくなるおそれがある。
【００３９】
なお、チタン焼結体１の表面におけるビッカース硬度（ＨＶ）は、好ましくは４００以上７５０以下とされ、より好ましくは５００以上７００以下とされる。
【００４０】
このようなビッカース硬度は、ＪＩＳ  Ｚ  ２２４４：２００９に規定されたビッカース硬さ試験−試験方法に準じて測定される。なお、圧子の試験力は９．８Ｎ（１ｋｇｆ）とし、試験力の保持時間は１５秒とする。そして、１０か所の測定結果の平均値を上記ビッカース硬度とする。
【００４１】
また、本実施形態に係るチタン焼結体の結晶組織の形状は、針状形状ではなく、等方形状あるいはそれに準じた形状であるのが好ましい。このような形状を有することにより、前述したように、光輝感が高く、意匠性の高い外観を得ることができる。
【００４２】
具体的には、チタン焼結体１の表面において、結晶組織の平均アスペクト比は、好ましくは１以上３以下とされ、より好ましくは１以上２．５以下とされる。結晶組織の平均アスペクト比が前記範囲内であることにより、チタン焼結体１の表面の光輝感を特に高めることができる。また、平均アスペクト比を前記範囲内に調整することにより、チタン焼結体１に研磨加工を施したときの研磨量に異方性が生じ難くなるため、研磨面に凹凸が生じ難くなる。その結果、研磨面の平滑性をより高めることができ、かかる観点からも光輝感の高いチタン焼結体１が得られる。
【００４３】
なお、結晶組織の平均アスペクト比は、次のようにして測定される。まず、チタン焼結体１の表面を電子顕微鏡で観察し、得られた観察像において１００個以上の結晶組織を無作為に選択する。次に、観察像上において選択した結晶組織の長軸を特定し、さらにこの長軸と直交する方向で最長の軸を短軸として特定する。次いで、長軸／短軸をアスペクト比として算出する。そして、１００個以上の結晶組織についてのアスペクト比を平均し、これを平均アスペクト比とする。
【００４４】
また、本実施形態に係るチタン焼結体１では、結晶組織の粒径が比較的揃っていることが好ましい。このため、等方形状あるいはそれに準じた形状であることに加え、粒径が揃っていることも奏功し、チタン焼結体１の疲労強度を高めるとともに、長期にわたって高い意匠性を保たせることができる。
【００４５】
このようなチタン焼結体１の構成材料は、チタン単体またはチタン基合金である。
チタン基合金は、チタンを主成分とする合金であるが、チタン（Ｔｉ）の他に、例えば、炭素（Ｃ）、窒素（Ｎ）、酸素（Ｏ）、アルミニウム（Ａｌ）、バナジウム（Ｖ）、ニオブ（Ｎｂ）、ジルコニウム（Ｚｒ）、タンタル（Ｔａ）、モリブデン（Ｍｏ）、クロム（Ｃｒ）、マンガン（Ｍｎ）、コバルト（Ｃｏ）、鉄（Ｆｅ）、ケイ素（Ｓｉ）、ガリウム（Ｇａ）、スズ（Ｓｎ）、バリウム（Ｂａ）、ニッケル（Ｎｉ）、硫黄（Ｓ）等の元素を含む合金である。
【００４６】
このうち、本実施形態に係るチタン基合金は、チタンを主成分とし、α相安定化元素とβ相安定化元素とを含むことが好ましい。これにより、チタン焼結体は、その製造条件や使用条件が変動したとしても、結晶組織としてα相２とβ相３とを併せ持つことができる。このため、チタン焼結体１は、α相２が呈する特性とβ相３が呈する特性とを併せ持つものとなり、とりわけ機械的特性に優れる。
【００４７】
このうち、α相安定化元素としては、例えば、アルミニウム、ガリウム、スズ、炭素、窒素、酸素等が挙げられ、これらのうちの１種または２種以上が組み合わされて用いられる。一方、β相安定化元素としては、例えば、モリブデン、ニオブ、タンタル、バナジウム、鉄等が挙げられ、これらのうちの１種または２種以上が組み合わされて用いられる。
【００４８】
チタン基合金の具体的な組成としては、ＪＩＳ  Ｈ  ４６００：２０１２に６０種、６０Ｅ種、６１種または６１Ｆ種として規定されているチタン合金が挙げられる。具体的には、Ｔｉ−６Ａｌ−４Ｖ、Ｔｉ−６Ａｌ−４Ｖ  ＥＬＩ、Ｔｉ−３Ａｌ−２．５Ｖ等が挙げられる。この他、航空宇宙材料規格（ＡＭＳ）に規定されているＴｉ−６Ａｌ−６Ｖ−２Ｓｎ、Ｔｉ−６Ａｌ−２Ｓｎ−４Ｚｒ−２Ｍｏ−０．０８Ｓｉ、Ｔｉ−６Ａｌ−２Ｓｎ−４Ｚｒ−６Ｍｏ等が挙げられる。また、国際標準化機構（ＩＳＯ）が策定する規格に規定されているＴｉ−５Ａｌ−２．５Ｆｅ、Ｔｉ−６Ａｌ−７Ｎｂ等が挙げられる。さらには、Ｔｉ−１３Ｚｒ−１３Ｔａ、Ｔｉ−６Ａｌ−２Ｎｂ−１Ｔａ、Ｔｉ−１５Ｚｒ−４Ｎｂ−４Ｔａ、Ｔｉ−５Ａｌ−３Ｍｏ−４Ｚｒ等が挙げられる。
【００４９】
なお、上述した合金組成の表記は、濃度の大きい成分を左から順に記載したものであり、元素の前にある数字はその元素の濃度を質量％で表すものである。例えば、Ｔｉ−６Ａｌ−４Ｖは、６質量％のＡｌと４質量％のＶとを含み、残部がＴｉおよび不純物であることを表す。なお、不純物は、所定の割合（例えば不純物合計で０．４０質量％以下）で不可避的に混入した元素または意図的に添加された元素である。
【００５０】
また、上述した合金組成の主なものの範囲は、下記の通りである。
Ｔｉ−６Ａｌ−４Ｖ合金は、Ａｌを５．５質量％以上６．７５質量％以下で含み、Ｖを３．５質量％以上４．５質量％以下で含み、残部がＴｉおよび不純物である。不純物としては、例えば、Ｆｅが０．４質量％以下、Ｏが０．２質量％以下、Ｎが０．０５質量％以下、Ｈが０．０１５質量％以下、Ｃが０．０８質量％以下の割合で、それぞれ含まれることが許容される。さらには、その他の元素が個々に０．１０質量％以下、合計で０．４０質量％以下の割合で、それぞれ含まれることが許容される。
【００５１】
Ｔｉ−６Ａｌ−４Ｖ  ＥＬＩ合金は、Ａｌを５．５質量％以上６．５質量％以下で含み、Ｖを３．５質量％以上４．５質量％以下で含み、残部がＴｉおよび不純物である。不純物としては、例えば、Ｆｅが０．２５質量％以下、Ｏが０．１３質量％以下、Ｎが０．０３質量％以下、Ｈが０．０１２５質量％以下、Ｃが０．０８質量％以下の割合で、それぞれ含まれることが許容される。さらには、その他の元素が個々に０．１０質量％以下、合計で０．４０質量％以下の割合で、それぞれ含まれることが許容される。
【００５２】
Ｔｉ−３Ａｌ−２．５Ｖ合金は、Ａｌを２．５質量％以上３．５質量％以下で含み、Ｖを１．６質量％以上３．４質量％以下で含み、必要に応じてＳを０．０５質量％以上０．２０質量％以下で含み、必要に応じてＬａ、Ｃｅ、ＰｒおよびＮｄの少なくとも１種を合計で０．０５質量％以上０．７０質量％以下で含み、残部がＴｉおよび不純物である。不純物としては、例えば、Ｆｅが０．３０質量％以下、Ｏが０．２５質量％以下、Ｎが０．０５質量％以下、Ｈが０．０１５質量％以下、Ｃが０．１０質量％以下の割合で、それぞれ含まれることが許容される。さらには、その他の元素が合計で０．４０質量％以下の割合で含まれることが許容される。
【００５３】
Ｔｉ−５Ａｌ−２．５Ｆｅ合金は、Ａｌを４．５質量％以上５．５質量％以下で含み、Ｆｅを２質量％以上３質量％以下で含み、残部がＴｉおよび不純物である。不純物としては、例えば、Ｏが０．２質量％以下、Ｎが０．０５質量％以下、Ｈが０．０１３質量％以下、Ｃが０．０８質量％以下の割合で、それぞれ含まれることが許容される。さらには、その他の元素が合計で０．４０質量％以下の割合で含まれることが許容される。
【００５４】
Ｔｉ−６Ａｌ−７Ｎｂ合金は、Ａｌを５．５質量％以上６．５質量％以下で含み、Ｎｂを６．５質量％以上７．５質量％以下で含み、残部がＴｉおよび不純物である。不純物としては、例えば、Ｔａが０．５０質量％以下、Ｆｅが０．２５質量％以下、Ｏが０．２０質量％以下、Ｎが０．０５質量％以下、Ｈが０．００９質量％以下、Ｃが０．０８質量％以下の割合で、それぞれ含まれることが許容される。さらには、その他の元素が合計で０．４０質量％以下の割合で含まれることが許容される。なお、Ｔｉ−６Ａｌ−７Ｎｂ合金は、細胞毒性が他の合金種に比べて特に低いため、チタン焼結体１が生体適合用途に用いられる場合、特に有用である。
【００５５】
また、チタン焼結体１に含まれる成分は、例えばＪＩＳ  Ｈ  １６３２−１：２０１４〜ＪＩＳ  Ｈ  １６３２−３：２０１４に規定されているチタン−ＩＣＰ発光分光分析方法に準拠した方法により分析することができる。
【００５６】
また、チタン焼結体１は、酸化チタンを主成分とする粒子（以下、省略して「酸化チタン粒子」という。）を含んでいてもよい。この酸化チタン粒子は、チタン焼結体１中に分散することによって、マトリックスである金属チタンに加わる応力を分担すると考えられる。このため、酸化チタン粒子を含むことにより、チタン焼結体１全体における機械的強度の向上が図られる。また、酸化チタンは金属チタンよりも硬いため、酸化チタン粒子が分散していることにより、チタン焼結体１の耐摩耗性をより高めることができる。これにより、研磨面のキズ付き等が抑制されるため、研磨面を長期にわたって良好に維持することができる。すなわち、チタン焼結体１の外観の高い意匠性を長期にわたって維持することができる。さらに、酸化チタンは化学的に安定であるため、チタン焼結体１の耐食性を高める観点からも有用である。
【００５７】
なお、酸化チタンを主成分とする粒子とは、例えば、蛍光Ｘ線分析法または電子線マイクロアナライザーにより、対象となる粒子の成分分析を行い、原子数比で最も多く含まれた元素がチタンおよび酸素のうちの一方であり、次いで多く含まれた元素が他方であると分析された粒子のことをいう。
【００５８】
酸化チタン粒子の平均粒径は、特に限定されないが、０．５μｍ以上２０μｍ以下であるのが好ましく、１μｍ以上１５μｍ以下であるのがより好ましく、２μｍ以上１０μｍ以下であるのがさらに好ましい。酸化チタン粒子の平均粒径が前記範囲内であれば、チタン焼結体１の靭性や引張強さ等の機械的特性を大きく損なうことなく、耐摩耗性を高めることができる。すなわち、酸化チタン粒子の平均粒径が前記下限値を下回ると、酸化チタン粒子の含有率によっては、酸化チタン粒子による応力の分担作用が低下するおそれがある。また、酸化チタン粒子の平均粒径が前記上限値を上回ると、酸化チタン粒子の含有率によっては、酸化チタン粒子が亀裂の起点になって機械的強度が低下するおそれがある。
【００５９】
また、酸化チタン粒子の結晶構造は、ルチル型、アナターゼ型およびブルッカイト型のうちのいずれであってもよく、複数の型が混在していてもよい。
【００６０】
なお、酸化チタン粒子の平均粒径は、次のようにして測定される。まず、チタン焼結体１の断面を電子顕微鏡で観察し、得られた観察像において１００個以上の酸化チタン粒子を無作為に選択する。このとき、酸化チタン粒子か否かは、画像のコントラストおよび酸素の面分析等によって特定することができる。次に、観察像上において選択した酸化チタン粒子の面積を算出し、この面積と同じ面積を持つ円の直径を求める。このようにして求めた円を、その酸化チタン粒子の粒径（円相当径）とみなし、１００個以上の酸化チタン粒子についての平均値を求める。この平均値が酸化チタン粒子の平均粒径となる。
【００６１】
また、本実施形態に係るチタン焼結体１は、表面における酸素含有率（元素換算濃度）が質量比で２０００ｐｐｍ以上５５００ｐｐｍ以下であるのが好ましく、２２００ｐｐｍ以上５０００ｐｐｍ以下であるのがより好ましく、２５００ｐｐｍ以上４５００ｐｐｍ以下であるのがさらに好ましい。このようなチタン焼結体１は、優れた耐摩耗性を有するものとなる。このため、例えばチタン焼結体１の表面の光輝感を長期にわたって良好に維持することができる。その結果、チタン焼結体１の外観の高い意匠性を長期にわたって維持することができる。
【００６２】
なお、酸素含有率が前記下限値を下回ると、チタン焼結体１中の酸化チタンが減少する。酸化チタンは、前述したように、チタン焼結体の耐食性を高め、摩耗し難くする作用がある。このため、酸素含有率が前記下限値を下回ると、酸化チタンが特に減少し、それに伴って耐食性が低下するとともに耐摩耗性が低下するおそれがある。一方、酸素含有率が前記上限値を上回ると、チタン焼結体１中の酸化チタンが増加する。これにより、金属チタン同士の金属結合の割合が減少し、機械的強度が低下するおそれがある。これにより、例えば摺動面において剥落や亀裂等が発生し易くなり、それに伴って摩擦抵抗が大きくなるため、耐摩耗性が低下するおそれがある。
【００６３】
また、本実施形態に係るチタン焼結体１は、表面における炭素含有率が質量比で２００ｐｐｍ以上４０００ｐｐｍ以下であるのが好ましく、４００ｐｐｍ以上３０００ｐｐｍ以下であるのがより好ましく、５００ｐｐｍ以上２０００ｐｐｍ以下であるのがさらに好ましい。このようなチタン焼結体１は、表面におけるチタン炭化物の濃度が最適化されているため、チタン炭化物による光散乱等が抑えられる一方、金属チタンの酸化の進行を抑制することができる。したがって、チタン焼結体１は、表面の光輝感を長期にわたって良好に維持し得るものとなる。
【００６４】
なお、チタン焼結体１の酸素含有率および炭素含有率は、例えば、原子吸光分析装置、ＩＣＰ発光分光分析装置、酸素窒素同時分析装置等により測定することができる。特に、ＪＩＳ  Ｚ  ２６１３：２００６に規定された金属材料の酸素定量方法も用いられる。一例を挙げると、ＬＥＣＯ社製酸素・窒素分析装置、ＴＣ−３００／ＥＦ−３００が用いられる。
【００６５】
また、チタン焼結体１がＸ線回折法による結晶構造解析に供され、取得されるＸ線回折パターンは、α相に起因する回折強度のピークとβ相に起因する回折強度のピークとを含む。
【００６６】
ここで、取得されるＸ線回折パターンは、特に、チタンα相の面方位（１００）による回折強度のピークと、チタンβ相の面方位（１１０）による回折強度のピークと、を含むことが好ましい。その上で、チタンβ相の面方位（１１０）による回折強度のピーク値（積分強度）は、チタンα相の面方位（１００）による回折強度のピーク値（積分強度）の３％以上６０％以下であるのが好ましく、５％以上５０％以下であるのがより好ましく、１０％以上４０％以下であるのがさらに好ましい。これにより、前述したα相２が持つ特性とβ相３が持つ特性とがそれぞれ埋没することなく顕在化する。その結果、全体として靭性に優れるとともに、より意匠性の高い外観を有するチタン焼結体１が得られる。
【００６７】
なお、チタンα相の面方位（１００）による回折強度のピークは、２θが３５．３°付近に位置する。一方、チタンβ相の面方位（１１０）による回折強度のピークは、２θが３９．５°付近に位置する。
【００６８】
また、構成元素としてバナジウムを含むチタン焼結体１がＸ線回折法による結晶構造解析に供され、取得されるＸ線回折パターンは、チタンの六方晶系の結晶構造（空間群Ｐ６３／ｍｍｃ）による回折強度のピークＡと、Ｖ４Ｏ９で表される酸化バナジウムの正方晶系の結晶構造（空間群Ｐ４２／ｍｎｍ）による回折強度のピークＢと、を含むことが好ましい。その上で、θが４０．３±０．２°に位置するピークＡの積分強度は、２θが２１．３±０．２°に位置するピークＢの積分強度の５倍以上であるのが好ましく、７倍以上５０倍以下であるのがより好ましく、９倍以上３０倍以下であるのがさらに好ましい。ピークＡとピークＢとがこのような関係を有することにより、チタン焼結体１の表面において特に良好な光輝感が得られる。その結果、特に良好な意匠性を有するチタン焼結体１が得られる。
【００６９】
なお、Ｘ線回折装置のＸ線源には、Ｃｕ−Ｋα線を用い、管電圧を３０ｋＶとし、管電流を２０ｍＡとする。
【００７０】
また、チタン焼結体１は、相対密度が９９％以上であるのが好ましく、９９．５％以上であるのがより好ましい。チタン焼結体１の相対密度が前記範囲内であることにより、表面が研磨されたとき、特に良好な鏡面性を示すチタン焼結体１が得られる。すなわち、このような相対密度であることにより、チタン焼結体１中に空孔が生じ難くなる。このため、かかる空孔によって光反射が阻害されるのを抑制することができる。
【００７１】
なお、チタン焼結体１の相対密度は、ＪＩＳ  Ｚ  ２５０１：２０００に規定された焼結金属材料の密度試験方法に準じて測定された乾燥密度である。
【００７２】
また、チタン焼結体１は、表面の算術平均粗さＲａが７μｍ以下であるのが好ましく、５μｍ以下であるのがより好ましく、４μｍ以下であるのがさらに好ましい。算術平均粗さＲａが前記範囲内であることにより、チタン焼結体１の光輝感に基づく意匠性が特に良好になる。特に算術平均粗さＲａは、凹凸の高さ方向の平均値を表すため、光の正反射の割合を左右し、それによって光輝感を左右すると考えられる。
【００７３】
また、チタン焼結体１は、表面の二乗平均平方根粗さＲｑが１０μｍ以下であるのが好ましく、８μｍ以下であるのがより好ましく、７μｍ以下であるのがさらに好ましい。二乗平均平方根粗さＲｑが前記範囲内であることにより、チタン焼結体１の光輝感に基づく意匠性が特に良好になる。特に二乗平均平方根粗さＲｑは、平均面からの距離の標準偏差に相当するため、この数値が前記範囲内であることにより、光の反射面の角度のばらつきが抑えられ、良好な光輝感につながるものと考えられる。
なお、これらの表面粗さは、白色光共焦点顕微鏡により測定することができる。
【００７４】
このようなチタン焼結体１は、種々の用途に適用可能であり、特に限定されないが、特に装飾品の構成材料として有用である。
【００７５】
＜装飾品＞
次に、本発明の装飾品の実施形態について説明する。
【００７６】
本発明の装飾品としては、例えば、時計ケース（胴、裏蓋、胴と裏蓋とが一体化されたワンピースケース等）、時計バンド（バンド中留、バンド・バングル着脱機構等を含む。）、ベゼル（例えば、回転ベゼル等）、りゅうず（例えば、ネジロック式りゅうず等）、ボタン、ガラス縁、ダイヤルリング、見切板、パッキンのような時計用外装部品、メガネ（例えば、メガネフレーム）、ネクタイピン、カフスボタン、指輪、ネックレス、ブレスレット、アンクレット、ブローチ、ペンダント、イヤリング、ピアスのような装身具、スプーン、フォーク、箸、ナイフ、バターナイフ、栓抜きのような食器、ライターまたはそのケース、ゴルフクラブのようなスポーツ用品、銘板、パネル、賞杯、その他ハウジング（例えば携帯電話、スマートフォン、タブレット端末、モバイル型コンピューター、音楽プレーヤー、カメラ、シェーバー等のハウジング）のような機器用外装部品等が挙げられる。これらの装飾品は、いずれも優れた美的外観が尊ばれることがある。
【００７７】
これらの装飾品は、チタン焼結体１を含むものである。これにより、装飾品の表面に光輝感に基づく優れた意匠性を与えることができる。その結果、訴求性の高い外観を有する装飾品が得られる。
【００７８】
図２は、本発明の装飾品の実施形態が適用された時計ケースを示す斜視図であり、図３は、本発明の装飾品の実施形態が適用されたベゼルを示す部分断面斜視図である。
【００７９】
図２に示す時計ケース１１は、ケース本体１１２と、ケース本体１１２から突出するように設けられ、時計バンドを取り付けるためのバンド取付部１１４と、を備えている。このような時計ケース１１は、図示しないガラス板や裏蓋とともに、容器を構築することができる。この容器内には、図示しないムーブメントや文字盤等が収納される。したがって、この容器は、ムーブメント等を外部環境から保護するとともに、時計の美的外観に大きな影響を及ぼす。
【００８０】
図３に示すベゼル１２は、環状をなしており、時計ケースに装着され、必要に応じて時計ケースに対して回転可能になっている。時計ケースにベゼル１２が装着されると、ベゼル１２が時計ケースの外側に位置するため、ベゼル１２が時計の美的外観を左右することになる。
【００８１】
また、このような時計ケース１１やベゼル１２は、人体に装着された状態で使用されるため、常にキズが付き易い。このため、このような装飾品の構成材料としてチタン焼結体１が用いられることにより、表面の鏡面性が高く美的外観に優れた装飾品が得られる。また、長期にわたってこの鏡面性を維持することができる。
【００８２】
また、本実施形態に係る時計は、前述したような各種の時計用部品としてチタン焼結体１が含まれているものである。これにより、時計の表面に光輝感に基づく優れた意匠性を与えることができる。その結果、訴求性の高い外観を有する時計が得られる。
【００８３】
＜チタン焼結体の製造方法＞
次に、チタン焼結体１を製造する方法について説明する。
【００８４】
チタン焼結体１の製造方法は、［１］チタン合金粉末と有機バインダーとを混練し、混練物を得る工程と、［２］混練物を粉末冶金法により成形し、成形体を得る工程と、［３］成形体を脱脂し、脱脂体を得る工程と、［４］脱脂体を焼成し、焼結体を得る工程と、［５］焼結体に熱間等方加圧処理（ＨＩＰ処理）を施す工程と、を有する。以下、各工程について順次説明する。
【００８５】
［１］混練工程
まず、チタン焼結体１の原材料となるチタン単体粉末またはチタン合金粉末（以下、省略して「チタン合金粉末」という。）を有機バインダーとともに混練し、混練物を得る。
【００８６】
チタン合金粉末の平均粒径は、特に限定されないが、１μｍ以上５０μｍ以下であるのが好ましく、５μｍ以上４０μｍ以下であるのがより好ましい。
【００８７】
また、チタン合金粉末は、単一の合金組成の粒子のみからなる粉末（プレアロイ粉末）であってもよく、互いに組成の異なる複数種の粒子を混合してなる混合粉末（プレミックス粉末）であってもよい。プレミックス粉末の場合、個々の粒子は１種類の元素のみを含む粒子であっても複数の元素を含む粒子であってもよく、プレミックス粉末全体で前述したような組成比を満たしていればよい。
【００８８】
混練物中の有機バインダーの含有率は、成形条件や成形する形状等に応じて適宜設定されるが、混練物全体の２質量％以上２０質量％以下程度であるのが好ましく、５質量％以上１０質量％以下程度であるのがより好ましい。有機バインダーの含有率を前記範囲内に設定することにより、混練物は良好な流動性を有するものとなる。これにより、成形の際の混練物の充填性が向上し、最終的に目的とする形状により近い形状（ニアネットシェイプ）の焼結体が得られる。
【００８９】
有機バインダーとしては、例えば、ポリエチレン、ポリプロピレン、エチレン−酢酸ビニル共重合体等のポリオレフィン、ポリメチルメタクリレート、ポリブチルメタクリレート等のアクリル系樹脂、ポリスチレン等のスチレン系樹脂、ポリ塩化ビニル、ポリ塩化ビニリデン、ポリアミド、ポリエチレンテレフタレート、ポリブチレンテレフタレート等のポリエステル、ポリエーテル、ポリビニルアルコール、ポリビニルピロリドンまたはこれらの共重合体等の各種樹脂や、各種ワックス、パラフィン、高級脂肪酸（例：ステアリン酸）、高級アルコール、高級脂肪酸エステル、高級脂肪酸アミド等の各種有機バインダーが挙げられ、これらのうち１種または２種以上を混合して用いることができる。
【００９０】
また、混練物中には、必要に応じて、可塑剤が添加されていてもよい。この可塑剤としては、例えば、フタル酸エステル（例：ＤＯＰ、ＤＥＰ、ＤＢＰ）、アジピン酸エステル、トリメリット酸エステル、セバシン酸エステル等が挙げられ、これらのうちの１種または２種以上を混合して用いることができる。
【００９１】
さらに、混練物中には、チタン合金粉末、有機バインダー、可塑剤の他に、例えば、滑剤、酸化防止剤、脱脂促進剤、界面活性剤等の各種添加物を必要に応じて添加することができる。
【００９２】
なお、混練条件は、用いるチタン合金粉末の合金組成や粒径、有機バインダーの組成、およびこれらの配合量等の諸条件により異なるが、その一例を挙げれば、混練温度５０℃以上２００℃以下程度、混練時間１５分以上２１０分以下程度とすることができる。
【００９３】
また、混練物は、必要に応じ、ペレット（小塊）化される。ペレットの粒径は、例えば、１ｍｍ以上１５ｍｍ以下程度とされる。
【００９４】
なお、後述する成形方法に応じて、混練物ではなく、造粒粉末を製造するようにしてもよい。
【００９５】
［２］成形工程
次に、混練物を成形して、成形体を製造する。
【００９６】
成形方法としては、特に限定されず、例えば、圧粉成形（圧縮成形）法、金属粉末射出成形（ＭＩＭ：Metal Injection Molding）法、押出成形法等の各種成形法を用いることができる。このうち、ニアネットシェイプの焼結体を製造し得るという観点から、金属粉末射出成形法が好ましく用いられる。
【００９７】
また、圧粉成形法の場合の成形条件は、用いるチタン合金粉末の組成や粒径、有機バインダーの組成、およびこれらの配合量等の諸条件によって異なるが、成形圧力が２００ＭＰａ以上１０００ＭＰａ以下（２ｔ／ｃｍ２以上１０ｔ／ｃｍ２以下）程度であるのが好ましい。
【００９８】
また、チタン合金粉末の場合の成形条件は、やはり諸条件によって異なるものの、材料温度が８０℃以上２１０℃以下程度、射出圧力が５０ＭＰａ以上５００ＭＰａ以下（０．５ｔ／ｃｍ２以上５ｔ／ｃｍ２以下）程度であるのが好ましい。
【００９９】
また、押出成形法の場合の成形条件は、やはり諸条件によって異なるものの、材料温度が８０℃以上２１０℃以下程度、押出圧力が５０ＭＰａ以上５００ＭＰａ以下（０．５ｔ／ｃｍ２以上５ｔ／ｃｍ２以下）程度であるのが好ましい。
【０１００】
このようにして得られた成形体は、チタン合金粉末の粒子同士の間隙に、有機バインダーが一様に分布した状態となる。
【０１０１】
なお、作製される成形体の形状寸法は、以降の脱脂工程および焼成工程における成形体の収縮分を見込んで決定される。
【０１０２】
また、必要に応じて、成形体に対して切削、研磨、切断等の機械加工を施すようにしてもよい。成形体は、硬度が比較的低く、かつ比較的可塑性に富んでいるため、成形体の形状が崩れるのを防止しつつ、容易に機械加工を施すことができる。このような機械加工によれば、最終的に寸法精度の高いチタン焼結体１をより容易に得ることができる。
【０１０３】
［３］脱脂工程
次に、得られた成形体に脱脂処理（脱バインダー処理）を施し、脱脂体を得る。
【０１０４】
具体的には、成形体を加熱して、有機バインダーを分解することにより、成形体中から有機バインダーの少なくとも一部を除去して、脱脂処理がなされる。
【０１０５】
この脱脂処理は、例えば、成形体を加熱する方法、バインダーを分解するガスに成形体を曝す方法等が挙げられる。
【０１０６】
成形体を加熱する方法を用いる場合、成形体の加熱条件は、有機バインダーの組成や配合量によって若干異なるものの、温度１００℃以上７５０℃以下×０．１時間以上２０時間以下程度であるのが好ましく、１５０℃以上６００℃以下×０．５時間以上１５時間以下程度であるのがより好ましい。これにより、成形体を焼結させることなく、成形体の脱脂を必要かつ十分に行うことができる。その結果、脱脂体の内部に有機バインダー成分が多量に残留してしまうのを抑制することができる。
【０１０７】
また、成形体を加熱する際の雰囲気は、特に限定されず、水素のような還元性ガス雰囲気、窒素、アルゴンのような不活性ガス雰囲気、大気のような酸化性ガス雰囲気、またはこれらの雰囲気を減圧した減圧雰囲気等が挙げられる。
【０１０８】
一方、バインダーを分解するガスとしては、例えば、オゾンガス等が挙げられる。
なお、このような脱脂工程は、脱脂条件の異なる複数の過程（ステップ）に分けて行うことにより、成形体中の有機バインダーをより速やかに、そして、成形体に残存させないように分解・除去することができる。
【０１０９】
また、必要に応じて、脱脂体に対して切削、研磨、切断等の機械加工を施すようにしてもよい。脱脂体は、硬度が比較的低く、かつ比較的可塑性に富んでいるため、脱脂体の形状が崩れるのを防止しつつ、容易に機械加工を施すことができる。このような機械加工によれば、最終的に寸法精度の高いチタン焼結体１をより容易に得ることができる。
【０１１０】
［４］焼成工程
次に、得られた脱脂体を、焼成炉で焼成して焼結体を得る。すなわち、チタン合金粉末の粒子同士の界面で拡散が生じ、焼結に至る。その結果、チタン焼結体１が得られる。
【０１１１】
焼成温度は、チタン合金粉末の組成や粒径等によって異なるが、一例として９００℃以上１４００℃以下程度とされる。また、好ましくは１２５０℃以上１３５０℃以下程度とされる。
【０１１２】
また、焼成時間は、０．２時間以上２０時間以下とされるが、好ましくは１時間以上６時間以下程度とされる。
【０１１３】
なお、焼成工程においては、途中で焼結温度や後述する焼成雰囲気を変化させるようにしてもよい。
【０１１４】
また、焼成の際の雰囲気は、特に限定されないが、金属粉末の著しい酸化を防止することを考慮した場合、水素のような還元性ガス雰囲気、アルゴンのような不活性ガス雰囲気、またはこれらの雰囲気を減圧した減圧雰囲気等が好ましく用いられる。
【０１１５】
なお、チタン合金粉末からチタン焼結体１を製造する場合、焼成条件等によっては、α相２とβ相３の双方が形成されることがある。特に、チタン合金粉末中に前述したβ相安定化元素が含まれている場合には、β相３がより確実に形成される。
【０１１６】
一方、各種製造条件を最適化することにより、チタン焼結体１において平均結晶粒径を調整することができる。例えば、焼成温度を高くしたり焼成時間を長くしたりすることにより、結晶粒径が増大する傾向があるため、それに基づいて平均結晶粒径を調整することが可能である。また、焼成温度が高くなるとβ相３の割合が高くなり、それに伴ってチタン焼結体１の表面におけるビッカース硬度が高くなる傾向がある。したがって、かかる傾向に基づき、製造されるチタン焼結体１のビッカース硬度を調整することが可能である。
【０１１７】
また、平均結晶粒径が前記範囲内にある場合において、β相３の割合が低くα相２の割合が高いほど、結晶組織は等方形状に近づく傾向を示す。したがって、かかる傾向に基づき、チタン焼結体１の表面における結晶組織の平均アスペクト比を調整することが可能である。
【０１１８】
［５］ＨＩＰ工程
また、このようにして得られたチタン焼結体１に対し、さらにＨＩＰ処理（熱間等方加圧処理）等を施すようにしてもよい。これにより、チタン焼結体１のさらなる高密度化を図り、例えばより機械的特性に優れた装飾品を得ることができる。
【０１１９】
ＨＩＰ処理の条件としては、例えば、温度が８５０℃以上１２００℃以下、時間が１時間以上１０時間以下程度とされる。
【０１２０】
また、加圧力は、５０ＭＰａ以上であるのが好ましく、１００ＭＰａ以上５００ＭＰａ以下であるのがより好ましい。
【０１２１】
さらに、必要に応じて、得られたチタン焼結体１に対し、さらに焼鈍処理、溶体化処理、時効処理、熱間加工処理、冷間加工処理等が施されてもよい。
【０１２２】
なお、必要に応じて、得られたチタン焼結体１に研磨処理を施すようにしてもよい。研磨処理としては、特に限定されないが、例えば、電解研磨、バフ研磨、乾式研磨、化学研磨、バレル研磨、サンドブラスト等が挙げられる。
【０１２３】
以上、本発明のチタン焼結体、装飾品および時計について、好適な実施形態に基づいて説明したが、本発明はこれに限定されるものではない。
【０１２４】
例えば、チタン焼結体の用途は、装飾品や時計等に限定されず、各種構造部品等であってもよい。この構造部品としては、例えば、自動車用部品、自転車用部品、鉄道車両用部品、船舶用部品、航空機用部品、宇宙輸送機（例えばロケット等）用部品のような輸送機器用部品、パソコン用部品、携帯電話端末用部品のような電子機器用部品、冷蔵庫、洗濯機、冷暖房機のような電気機器用部品、工作機械、半導体製造装置のような機械用部品、原子力発電所、火力発電所、水力発電所、製油所、化学コンビナートのようなプラント用部品、手術用器具、人工骨、人工関節、人工歯、人工歯根、歯列矯正用部品のような医療機器等が挙げられる。
【０１２５】
なお、チタン焼結体は、生体適合性が高いため、特に人工骨や歯科用金属部品として有用である。このうち歯科用金属部品は、口腔内に一時的あるいは半永久的に留置される金属部品であれば、特に限定されず、例えば、インレー、クラウン、ブリッジ、金属床、義歯、インプラント、アバットメント、フィクスチャー、スクリュー等のメタルフレームが挙げられる。
【実施例】
【０１２６】
次に、本発明の具体的実施例について説明する。
１．チタン焼結体の製造
（実施例１）
＜１＞まず、ガスアトマイズ法により製造された平均粒径２０μｍのＴｉ−６Ａｌ−４Ｖ合金粉末を用意した。
【０１２７】
次いで、ポリプロピレンとワックスの混合物（有機バインダー）を用意し、原料粉末と有機バインダーとの質量比が９：１になるように秤量して、チタン焼結体製造用組成物を得た。
【０１２８】
次いで、得られたチタン焼結体製造用組成物を混練機で混練し、コンパウンドを得た。そして、コンパウンドをペレットに加工した。
【０１２９】
＜２＞次に、得られたペレットを用いて、以下に示す成形条件で成形し、成形体を作製した。
【０１３０】
＜成形条件＞
・成形方法：金属粉末射出成形法
・材料温度：１６０℃
・射出圧力：１２ＭＰａ（１２０ｋｇｆ／ｃｍ２）
【０１３１】
＜３＞次に、得られた成形体に対して、以下に示す脱脂条件で脱脂処理を施し、脱脂体を得た。
【０１３２】
＜脱脂条件＞
・脱脂温度  ：５３０℃
・脱脂時間  ：５時間
・脱脂雰囲気：窒素ガス雰囲気
【０１３３】
＜４＞次に、得られた脱脂体を、以下に示す焼成条件で焼成した。このようにして焼結体を作製した。
【０１３４】
＜焼成条件＞
・焼成温度  ：１３００℃
・焼成時間  ：２時間
・焼成雰囲気：アルゴンガス雰囲気
・雰囲気圧力：大気圧（１００ｋＰａ）
【０１３５】
＜５＞次に、得られたチタン焼結体の表面にバフ研磨処理を施した。
次いで、研磨面を電子顕微鏡で観察し、結晶組織を構成する結晶相の種類、平均結晶粒径および結晶の平均アスペクト比をそれぞれ求めた。その結果を表１に示す。
【０１３６】
＜６＞次に、得られたチタン焼結体の研磨面について、ＪＩＳ  Ｚ  ２２４４：２００９に規定の方法に準じてビッカース硬度を測定した。測定結果を表１に示す。
【０１３７】
＜７＞次に、得られたチタン焼結体について、酸素含有率および炭素含有率を測定した。測定結果を表１に示す。
【０１３８】
＜８＞次に、得られたチタン焼結体について、算術平均粗さＲａおよび二乗平均平方根粗さＲｑを測定した。測定結果を表１に示す。
【０１３９】
＜９＞次に、実施例１のチタン焼結体について、以下に示す測定条件により、Ｘ線回折法による結晶構造解析を行った。
【０１４０】
＜Ｘ線回折法による結晶構造解析の測定条件＞
・Ｘ線源    ：Ｃｕ−Ｋα線
・管電圧    ：３０ｋＶ
・管電流    ：２０ｍＡ
【０１４１】
なお、このチタン焼結体について得られたＸ線回折パターンは、チタンの六方晶系の結晶構造による回折強度のピークＡと、Ｖ４Ｏ９で表される酸化バナジウムの正方晶系の結晶構造による回折強度のピークＢと、を含んでいることがわかった。そこで、ピークＢの積分強度に対するピークＡの積分強度の倍数を算出した。算出結果を表１に示す。
【０１４２】
（実施例２〜６）
平均結晶粒径、結晶の平均アスペクト比、ビッカース硬度、酸素含有率、炭素含有率、表面粗さ、およびＸ線回折の評価結果がそれぞれ表１に示す値になるように製造条件を変更した以外は、それぞれ実施例１と同様にしてチタン焼結体を得た。
【０１４３】
（比較例１〜３）
平均結晶粒径、結晶の平均アスペクト比、ビッカース硬度、酸素含有率、炭素含有率、表面粗さ、およびＸ線回折の評価結果がそれぞれ表１に示す値になるように製造条件を変更した以外は、それぞれ実施例１と同様にしてチタン焼結体を得た。
【０１４４】
（参考例１）
まず、Ｔｉ−６Ａｌ−４Ｖ合金の溶製材を用意した。
次いで、得られた溶製材の表面にバフ研磨処理を施した。
【０１４５】
次いで、研磨面を電子顕微鏡で観察し、結晶組織を構成する結晶相の種類、平均結晶粒径および結晶の平均アスペクト比をそれぞれ求めた。その結果を表１に示す。
【０１４６】
また、上記と同様にして、ビッカース硬度、酸素含有率、炭素含有率、表面粗さ、およびＸ線回折の評価結果をそれぞれ求めた。その結果を表１に示す。
【０１４７】
（実施例７）
Ｔｉ−６Ａｌ−４Ｖ合金粉末に代えて、平均粒径２０μｍのＴｉ−３Ａｌ−２．５Ｖ合金粉末を用いるようにした以外は、実施例１と同様にしてチタン焼結体を得た。
そして、得られたチタン焼結体の表面にバフ研磨処理を施した。
【０１４８】
次いで、研磨面を電子顕微鏡で観察し、結晶組織を構成する結晶相の種類、平均結晶粒径および結晶の平均アスペクト比をそれぞれ求めた。その結果を表２に示す。
【０１４９】
また、上記と同様にして、ビッカース硬度、酸素含有率、炭素含有率、表面粗さ、およびＸ線回折の評価結果をそれぞれ求めた。その結果を表２に示す。
【０１５０】
（実施例８〜１２）
平均結晶粒径、結晶の平均アスペクト比、ビッカース硬度、酸素含有率、炭素含有率、表面粗さ、およびＸ線回折の評価結果がそれぞれ表２に示す値になるように製造条件を変更した以外は、それぞれ実施例７と同様にしてチタン焼結体を得た。
【０１５１】
（比較例４〜６）
平均結晶粒径、結晶の平均アスペクト比、ビッカース硬度、酸素含有率、炭素含有率、表面粗さ、およびＸ線回折の評価結果がそれぞれ表２に示す値になるように製造条件を変更した以外は、それぞれ実施例７と同様にしてチタン焼結体を得た。
【０１５２】
（参考例２）
まず、Ｔｉ−３Ａｌ−２．５Ｖの溶製材を用意した。
次いで、得られた溶製材の表面にバフ研磨処理を施した。
【０１５３】
次いで、研磨面を電子顕微鏡で観察し、結晶組織を構成する結晶相の種類、平均結晶粒径および結晶の平均アスペクト比をそれぞれ求めた。その結果を表２に示す。
【０１５４】
また、上記と同様にして、ビッカース硬度、酸素含有率、炭素含有率、表面粗さ、およびＸ線回折の評価結果をそれぞれ求めた。その結果を表２に示す。
【０１５５】
（実施例１３）
Ｔｉ−６Ａｌ−４Ｖ合金粉末に代えて、平均粒径２０μｍのＴｉ−６Ａｌ−７Ｎｂ合金粉末を用いるようにした以外は、実施例１と同様にしてチタン焼結体を得た。
そして、得られたチタン焼結体の表面にバフ研磨処理を施した。
【０１５６】
次いで、研磨面を電子顕微鏡で観察し、結晶組織を構成する結晶相の種類、平均結晶粒径および結晶の平均アスペクト比をそれぞれ求めた。その結果を表３に示す。
【０１５７】
また、上記と同様にして、ビッカース硬度、酸素含有率、炭素含有率、表面粗さ、およびＸ線回折の評価結果をそれぞれ求めた。その結果を表３に示す。
【０１５８】
（実施例１４〜１８）
平均結晶粒径、結晶の平均アスペクト比、ビッカース硬度、酸素含有率、炭素含有率、表面粗さ、およびＸ線回折の評価結果がそれぞれ表３に示す値になるように製造条件を変更した以外は、それぞれ実施例１３と同様にしてチタン焼結体を得た。
【０１５９】
（比較例７〜９）
平均結晶粒径、結晶の平均アスペクト比、ビッカース硬度、酸素含有率、炭素含有率、表面粗さ、およびＸ線回折の評価結果がそれぞれ表３に示す値になるように製造条件を変更した以外は、それぞれ実施例１３と同様にしてチタン焼結体を得た。
【０１６０】
（参考例３）
まず、Ｔｉ−６Ａｌ−７Ｎｂの溶製材を用意した。
次いで、得られた溶製材の表面にバフ研磨処理を施した。
【０１６１】
次いで、研磨面を電子顕微鏡で観察し、結晶組織を構成する結晶相の種類、平均結晶粒径および結晶の平均アスペクト比をそれぞれ求めた。その結果を表３に示す。
【０１６２】
また、上記と同様にして、ビッカース硬度、酸素含有率、炭素含有率、表面粗さ、およびＸ線回折の評価結果をそれぞれ求めた。その結果を表３に示す。
【０１６３】
２．チタン焼結体の評価
２．１  耐摩耗性
まず、各実施例および各比較例のチタン焼結体ならびに各参考例のチタン溶製材等について、その表面の耐摩耗性を評価した。具体的には、まず、チタン焼結体およびチタン溶製材の表面にバフ研磨処理を施した。次いで、研磨面について、ＪＩＳ  Ｒ  １６１３（２０１０）に規定されたファインセラミックスのボールオンディスク法による摩耗試験方法に準じた摩耗試験を行い、円板状試験片の摩耗量を測定した。なお、測定条件は、以下の通りである。
【０１６４】
＜比摩耗量の測定条件＞
・球形試験片の材質：高炭素クロム軸受鋼（ＳＵＪ２）
・球形試験片の大きさ：直径６ｍｍ
・円板状試験片の材質：各実施例および各比較例の焼結体ならびに各参考例の溶製材
・円板状試験片の大きさ：直径３５ｍｍ、厚さ５ｍｍ
・荷重の大きさ：１０Ｎ
・摺動速度：０．１ｍ／ｓ
・摺動円直径：３０ｍｍ
・摺動距離：５０ｍ
【０１６５】
そして、参考例１のチタン溶製材について得られた摩耗量を１とし、表１に示す各実施例および各比較例のチタン焼結体について得られた摩耗量の相対値を算出した。
【０１６６】
同様に、参考例２のチタン溶製材について得られた摩耗量を１とし、表２に示す各実施例および各比較例のチタン焼結体について得られた摩耗量の相対値を算出した。
【０１６７】
さらに、同様に、参考例３のチタン溶製材について得られた摩耗量を１とし、表３に示す各実施例および各比較例のチタン焼結体について得られた摩耗量の相対値を算出した。
【０１６８】
次いで、算出した相対値を以下の評価基準に照らして評価した。評価結果を表１〜３に示す。
【０１６９】
＜摩耗量の評価基準＞
Ａ：摩耗量が非常に少ない（相対値が０．５未満）
Ｂ：摩耗量が少ない（相対値が０．５以上０．７５未満）
Ｃ：摩耗量がやや少ない（相対値が０．７５以上１未満）
Ｄ：摩耗量がやや多い（相対値が１以上１．２５未満）
Ｅ：摩耗量が多い（相対値が１．２５以上１．５未満）
Ｆ：摩耗量が非常に多い（相対値が１．５以上）
【０１７０】
２．２  引張強さ
次に、各実施例および各比較例のチタン焼結体ならびに各参考例のチタン溶製材等について、その引張強さを測定した。なお、引張強さの測定は、ＪＩＳ  Ｚ  ２２４１（２０１１）に規定の金属材料引張試験方法に準じて行った。
【０１７１】
そして、参考例１のチタン溶製材について得られた引張強さを１とし、表１に示す各実施例および各比較例のチタン焼結体について得られた引張強さの相対値を算出した。
【０１７２】
同様に、参考例２のチタン溶製材について得られた引張強さを１とし、表２に示す各実施例および各比較例のチタン焼結体について得られた引張強さの相対値を算出した。
【０１７３】
さらに、同様に、参考例３のチタン溶製材について得られた引張強さを１とし、表３に示す各実施例および各比較例のチタン焼結体について得られた引張強さの相対値を算出した。
【０１７４】
次いで、得られた相対値を以下の評価基準に照らして評価した。評価結果を表１〜３に示す。
【０１７５】
＜引張強さの評価基準＞
Ａ：引張強さが非常に大きい（相対値が１．０９以上）
Ｂ：引張強さが大きい（相対値が１．０６以上１．０９未満）
Ｃ：引張強さがやや大きい（相対値が１．３以上１．０６未満）
Ｄ：引張強さがやや小さい（相対値が１以上１．０３未満）
Ｅ：引張強さが小さい（相対値が０．９７以上１未満）
Ｆ：引張強さが非常に小さい（相対値が０．９７未満）
【０１７６】
２．３  破断時の公称ひずみ（破断伸び）
次に、各実施例および各比較例のチタン焼結体ならびに各参考例のチタン溶製材等について、その破断伸びを測定した。なお、破断伸びの測定は、ＪＩＳ  Ｚ  ２２４１（２０１１）に規定の金属材料引張試験方法に準じて行った。
【０１７７】
次いで、得られた破断伸びを以下の評価基準に照らして評価した。評価結果を表１〜３に示す。
【０１７８】
＜破断伸びの評価基準＞
Ａ：破断伸びが非常に大きい（０．１５以上）
Ｂ：破断伸びが大きい（０．１２５以上０．１５未満）
Ｃ：破断伸びがやや大きい（０．１０以上０．１２５未満）
Ｄ：破断伸びがやや小さい（０．０７５以上０．１０未満）
Ｅ：破断伸びが小さい（０．０５０以上０．０７５未満）
Ｆ：破断伸びが非常に小さい（０．０５０未満）
【０１７９】
２．４  意匠性
２．４．１  初期の意匠性
次に、各実施例および各比較例のチタン焼結体ならびに各参考例のチタン溶製材からなる試験体について、パネル１０名による官能評価を行った。なお、この官能評価は、ＪＩＳ  Ｚ  ９０８０：２００４の官能評価分析の順位法に準じて行った。
【０１８０】
具体的には、まず、各パネルに試験体を配り、研磨面を観察してもらった。そして、光輝感に基づく意匠性をＪＩＳ  Ｚ  ９０８０：２００４に規定された９段階の嗜好尺度に照らして評価してもらった。なお、９段階の嗜好尺度は、９が最も快いことを表し、１が最も不快であることを表す。
評価結果を表１〜３に示す。
【０１８１】
２．４．２  擦過処理後の意匠性
まず、試験体の研磨面に対し、ナイロンショット（ナイロン製のブラスト用投射材）を用いたショットブラスト処理（擦過処理）を施した。
【０１８２】
次に、処理面について、再び、２．４．１と同様の官能評価を行った。
評価結果を表１〜３に示す。
【０１８３】
【表１】
2019044225.tif 000003
【０１８４】
【表２】
2019044225.tif 000004
【０１８５】
【表３】
2019044225.tif 000005
【０１８６】
表１〜３から明らかなように、各実施例のチタン焼結体は、研磨面の意匠性が高いことが認められた。
【符号の説明】
【０１８７】
１…チタン焼結体、２…α相、３…β相、１１…時計ケース、１２…ベゼル、１１２…ケース本体、１１４…バンド取付部
【図１】
2019044225.tif 000006
【図２】
2019044225.tif 000007
【図３】
2019044225.tif 000008